(57)【要約】      （修正有）【課題】表示装置の部品点数をなるべく増やさない方法により、表示装置の移動を検出可能とする。【解決手段】プロジェクター１０は、冷却対象を冷却する冷却用ファン３１と、冷却用ファン３１の回転数を検出する回転数検出部１８３と、回転数検出部１８３で検出された冷却用ファン３１の回転数の変化に基づいて、表示装置１０の移動を検出する移動検出部１２４と、を備える。【選択図】図２
2012189675.tif 000002
【特許請求の範囲】
【請求項１】
表示装置であって、
冷却対象を冷却する冷却用ファンと、
前記冷却用ファンの回転数を検出する回転数検出手段と、
前記回転数検出手段で検出された前記冷却用ファンの回転数の変化に基づいて、当該表示装置の移動を検出する移動検出手段と、
を備えたことを特徴とする表示装置。
【請求項２】
前記冷却用ファンの回転数を、前記冷却対象の冷却状態に応じて変化させるファン制御手段を備え、
前記移動検出手段は、前記回転数検出手段で検出された前記冷却用ファンの回転数の変化、及び前記ファン制御手段による前記冷却用ファンの回転数の変化に基づいて、当該表示装置の移動を検出することを特徴とする請求項１に記載の表示装置。
【請求項３】
光源と、前記光源を冷却する前記冷却用ファンを含む複数の前記冷却用ファンを有するプロジェクターであることを特徴とする請求項１または２に記載の表示装置。
【請求項４】
前記移動検出手段が前記表示装置の移動を検出した場合に、前記表示装置の表示領域に表示される画像を変形させることにより台形歪み補正を行う補正手段を備えたことを特徴とする請求項３記載の表示装置。
【請求項５】
前記移動検出手段は、前記冷却用ファンの回転数の変化に基づいて、前記表示装置の移動の開始または終了を検出し、
前記補正手段は、前記表示装置の移動が開始された場合または移動が終了した場合に、台形歪み補正を行うことを特徴とする請求項４に記載の表示装置。
【請求項６】
冷却用ファンを備えた表示装置の移動検出方法であって、
前記冷却用ファンの回転数を検出し、
検出した前記冷却用ファンの回転数の変化に基づいて当該表示装置の移動を検出する
ことを特徴とする表示装置の移動検出方法。
【発明の詳細な説明】
【技術分野】
【０００１】
本発明は、冷却用ファンを備えた表示装置、及び、表示装置の移動検出方法に関する。
【背景技術】
【０００２】
従来、プロジェクター等の表示装置において、盗難防止、或いは、画像補正のために表示装置本体の移動を検出する機能を備えたものが知られている（例えば、特許文献１参照）。特許文献１には、加速度センサー、或いは、振動センサーを用いてプロジェクターの移動を検出する技術が開示されている。
【先行技術文献】
【特許文献】
【０００３】
【特許文献１】特開２００６−１３３４０１号公報
【発明の概要】
【発明が解決しようとする課題】
【０００４】
しかしながら、特許文献１記載の装置のように、表示装置本体に移動を検出する加速度センサーや振動センサー等を設けた場合、部品点数の増加と、これに伴う表示装置の構成の複雑化による問題が懸念される。
本発明は、上述した従来の技術が有する課題を解消し、表示装置の部品点数をなるべく増やさない方法により、表示装置の移動を検出可能とすることを目的とする。
【課題を解決するための手段】
【０００５】
上記目的を達成するために、本発明は、表示装置であって、冷却対象を冷却する冷却用ファンと、前記冷却用ファンの回転数を検出する回転数検出手段と、前記回転数検出手段で検出された前記冷却用ファンの回転数の変化に基づいて、当該表示装置の移動を検出する移動検出手段と、を備えたことを特徴とする。
本発明によれば、表示装置の本体が備える冷却用ファンの回転数の変化に基づいて、部品点数を増やすことなく、表示装置本体の移動を検出できる。
【０００６】
また、本発明は、上記表示装置において、前記冷却用ファンの回転数を、前記冷却対象の冷却状態に応じて変化させるファン制御手段を備え、前記移動検出手段は、前記回転数検出手段で検出された前記冷却用ファンの回転数の変化、及び前記ファン制御手段による前記冷却用ファンの回転数の変化に基づいて、当該表示装置の移動を検出することを特徴とする。
本発明によれば、効率的な冷却あるいは確実な冷却を行うために冷却用ファンが冷却する対象物または冷却対象空間の冷却状態に応じて冷却用ファンの回転数を変化させた場合であっても、冷却用ファンの回転数に基づいて、正確に表示装置本体の移動を検出できる。
【０００７】
また、本発明は、上記表示装置において、光源と、当該光源を冷却する冷却用ファンを含む複数のファンを有するプロジェクターであることを特徴とする。
本発明によれば、複数のファンを有するプロジェクターにおいて、プロジェクターの光源等を冷却するために設けられる冷却用ファンの回転数を利用して、部品点数を増やすことなく、効率よく確実にプロジェクターの移動を検出できる。
【０００８】
また、本発明は、上記表示装置において、前記移動検出手段が前記表示装置の移動を検出した場合に、前記表示装置の表示領域に表示される画像を変形させることにより台形歪み補正を行う補正手段を備えたことを特徴とする。
本発明によれば、プロジェクターである表示装置の移動を検出して台形歪み補正を行うので、最初の補正を行った後に表示装置が移動し、投射環境が変化した場合に、この投射環境の変化に速やかに対応して、良好な状態で画像を投射できる。
【０００９】
また、本発明は、上記表示装置において、前記移動検出手段は、前記冷却用ファンの回転数の変化に基づいて、前記表示装置の移動の開始または終了を検出し、前記補正手段は、前記表示装置の移動が開始された場合または移動が終了した場合に、台形歪み補正を行うことを特徴とする。
本発明によれば、プロジェクターである表示装置本体の移動の開始または移動の終了を検出して台形歪み補正を行うので、表示装置の本体の移動に伴う投射状態の変化に速やかに対応して、台形歪み補正を行える。
【００１０】
また、上記目的を達成するために、本発明は、冷却用ファンを備えた表示装置の移動検出方法であって、前記冷却用ファンの回転数を検出し、検出した前記冷却用ファンの回転数の変化に基づいて当該表示装置の移動を検出することを特徴とする。
本発明の移動検出方法を実行することにより、表示装置の本体が備える冷却用ファンの回転数の変化に基づいて、部品点数を増やすことなく、表示装置本体の移動を検出できる。
【発明の効果】
【００１１】
本発明によれば、表示装置の本体が備える冷却用ファンの回転数の変化に基づいて、部品点数を増やすことなく、表示装置本体の移動を検出できる。
【図面の簡単な説明】
【００１２】
【図１】本発明を適用した実施形態に係るプロジェクターの概略平面図である。
【図２】プロジェクターの構成を示すブロック図である。
【図３】プロジェクターの動作を示すフローチャートである。
【図４】プロジェクターの筐体におけるファンの配置状態を示す模式図である。
【発明を実施するための形態】
【００１３】
以下、図面を参照して本発明を適用した一実施の形態について説明する。
図１は、実施形態に係る表示装置としてのプロジェクター１０の概略構成を示す平面図である。このプロジェクター（表示装置）１０には、投射面としてのスクリーンＳＣが相対して設置されている。プロジェクター１０には、内蔵する記憶装置が記憶する映像ソース（図示略）、または、パーソナルコンピューターや各種映像プレーヤー等の外部の画像供給装置（図示略）から画像信号が入力される。プロジェクター１０は、内蔵する光源１４１（図２）が発した光を入力画像信号に基づいて変調し、変調された光をスクリーンＳＣに向けて投射して、画像（以下「投射画像」と呼ぶ）として表示させる。プロジェクター１０に入力される画像は動画像（映像）と静止画像とのどちらでもよく、プロジェクター１０は映像をスクリーンＳＣに投射することも、静止画像をスクリーンＳＣに投射し続けることも可能である。本実施形態では、外部から入力される映像信号に基づいて映像を投射する場合を例に挙げて説明する。スクリーンＳＣは、プロジェクター１０が画像を表示するための表示領域に相当する。なお、プロジェクター１０がスクリーンＳＣ以外の投射面（例えば、壁面など）に画像を投射する場合は、この投射面が表示領域に相当する。
【００１４】
図１に示すように、プロジェクター１０は、表示装置本体としての筐体１１内に、光源１４１を有する照明光学系１４０と、この照明光学系１４０が発した光を変調する光変調装置である液晶パネル１３０（１３０Ｒ、１３０Ｇ、１３０Ｂ）と、液晶パネル１３０により変調された変調光をスクリーンＳＣへ投射する投射光学系１５０とを有する画像投射部２１を備えている。ここで、本実施形態の照明光学系１４０が備える光源１４１は、キセノンランプ、超高圧水銀ランプ、ＬＥＤ（Light Emitting Diode）等の発光部や、発光部から射出された光を液晶パネル１３０側に導くリフレクター及び補助リフレクターを備えている。また、照明光学系１４０には、光源１４１が発した光を液晶パネル１３０に導く経路上に、第１レンズアレイ３２１、第２レンズアレイ３２２、偏光変換素子３２３、重畳レンズ３２４、調光素子３２５、ダイクロイックミラー３３１、３３２、反射ミラー３３３、３４２、３４４等の各種光学部品が設けられている。第１レンズアレイ３２１及び第２レンズアレイ３２２は、アレイ状に配列された複数のレンズ素子を有する。第１レンズアレイ３２１は、光源１４１から射出された光を各レンズ素子によって複数に分割する。第１レンズアレイ３２１の各レンズ素子は、光源１４１から射出された光を第２レンズアレイ３２２のレンズ素子近傍にて集光させる。第２レンズアレイ３２２の各レンズ素子は、それぞれ第１レンズアレイ３２１のレンズ素子に対応している。また第２レンズアレイ３２２は、重畳レンズ３２４とともに、第１レンズアレイ３２１の各レンズ素子の像を、液晶パネル１３０上に結像した状態で重畳させる機能を有している。偏光変換素子３２３は、第２レンズアレイ３２２からの光を所定の直線偏光に変換する。調光素子３２５は、光源１４１から射出された光のうち、液晶パネル１３０に入射する光の光量を減光させる。ダイクロイックミラー３３１、３３２は、光源１４１から射出された光をＲ、Ｇ、Ｂの成分に分離する。反射ミラー３３３、３４２、３４４は、分離された光を各液晶パネル１３０Ｒ、１３０Ｂに導く。
【００１５】
液晶パネル１３０は、複数の画素をマトリクス状に配置した透過型液晶パネルで構成され、後述する光変調装置駆動部１３２によって駆動され、各画素の光透過率を変化させることにより、照明光学系１４０からの光（図１中、符号Ｌで示す）を変調する。
本実施形態のプロジェクター１０は３ＬＣＤ式プロジェクターであり、液晶パネル１３０は、Ｒ、Ｇ、Ｂの３色に対応する３枚の液晶パネル１３０Ｒ、１３０Ｇ、１３０Ｂから構成される。また、投射光学系１５０は、投射光の光学特性を高めるためのレンズ群、偏光板３５１、３５３、及び、クロスダイクロイックプリズム３５４を備える。また、投射光学系１５０は、スクリーンＳＣへ投射する画像の拡大・縮小および焦点の調整を行うズームレンズ１５２（図２）を備えている。
【００１６】
この構成により、プロジェクター１０は、照明光学系１４０から出た光をＲ、Ｇ、Ｂの３色の光に分離し、液晶パネル１３０Ｒ、１３０Ｇ、１３０Ｂにそれぞれ透過させ、クロスダイクロイックプリズム３５４で合成してカラー画像を生成する。なお、画像投射部２１の構成は、図１に示す構成に限らず、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、光変調装置として１枚のみの液晶パネルまたはＤＭＤを用いる場合には、クロスダイクロイックプリズム等の合成光学系に相当する部材は不要である。また、液晶パネル及びＤＭＤ以外にも、光源１４１が発した光を変調可能な構成であれば問題なく採用できる。
【００１７】
筐体１１内には、画像投射部２１とともに、プロジェクター１０の各部に電力を供給する電源部２２、後述する画像処理系の回路が実装された回路基板３３と、冷却用ファン３１とが配置される。冷却用ファン３１は、外気を取り込んで筐体１１の内部に送風し、電源部２２及び画像投射部２１（特に、光源１４１）を含む冷却対象を冷却するファンである。冷却対象は、冷却用ファンによって冷却される上記の電源部２２及び画像投射部２１等の対象物、または、筐体１１の内部の冷却対象空間である。筐体１１の側面には、冷却用ファン３１が冷却風（外気）を筐体内に吸い込む吸気口１５と、電源部２２や画像投射部２１を冷却した後に冷却風を筐体１１外に排気する排気口１６が形成されている。なお、図１に示す構成では、冷却用ファン３１が一つしか示されていないが、回路基板３３上に設けられる半導体デバイスを冷却する冷却用ファンや、電源部２２を冷却する冷却用ファン等を含む、複数の冷却用ファンを筐体１１内に備える構成とすることももちろん可能である。
【００１８】
図２は、プロジェクター１０の機能的構成を示すブロック図である。
プロジェクター１０は、大きく分けて光学的な画像の形成を行う光学系と映像信号を電気的に処理する画像処理系とからなり、この光学系は上記の画像投射部２１である。
プロジェクター１０は、投射光学系１５０のズームレンズ１５２を駆動してズームの度合いを調整するズーム調整用モーター１５６、フォーカスの調整を行うフォーカス調整用モーター１５７、及び、ズーム調整用モーター１５６とフォーカス調整用モーター１５７とを制御するレンズ駆動部１５５を備える。
【００１９】
これに対し、画像処理系は、プロジェクター１０全体を統合的に制御するＣＰＵ１２０と映像用プロセッサー１３４とを中心に構成され、Ａ／Ｄ変換部１１０、光変調装置駆動部１３２、レンズ駆動部１５５、ＲＡＭ１６０、ＲＯＭ１７０、ファン駆動部１８０、リモコン制御部１９０、リモコン１９１、操作部１９５等を備える。これらの画像処理系を構成する各要素は、バス１０２を介して互いに接続されている。
【００２０】
Ａ／Ｄ変換部１１０は、上述した外部の画像供給装置からケーブル２００を介して入力されたアナログ入力信号をＡ／Ｄ変換するデバイスであり、変換後のデジタル信号を映像用プロセッサー１３４に出力する。映像用プロセッサー１３４は、Ａ／Ｄ変換部１１０から入力されたデジタル信号に対して、輝度、コントラスト、色の濃さ、色合い、投射画像の形状等の画像の表示状態を調整する画像処理を行った上で、光変調装置駆動部１３２に対して、処理後の映像信号を出力する。光変調装置駆動部１３２は、映像用プロセッサー１３４から入力される映像信号に基づいて、液晶パネル１３０を駆動する。これにより、Ａ／Ｄ変換部１１０に入力された映像信号に対応した映像が、液晶パネル１３０に形成され、この画像が投射光学系１５０を介して、スクリーンＳＣ上に投射画像として形成される。映像用プロセッサー１３４が行う画像処理としては、例えば、明度、コントラスト、色合いなどの補正、台形歪み補正（キーストーン補正）が含まれる。
台形歪み補正を行う場合、映像用プロセッサー１３４は、図１に示す台形歪み補正部１３６（補正手段）として機能する。この台形歪み補正部１３６は、スクリーンＳＣに投射された投射画像においてプロジェクター１０本体のスクリーンＳＣに対する相対角度の影響で生じた台形歪みを検出し、この台形歪みを補正するため、液晶パネル１３０に描画する画像を変形させる。台形歪みの検出は、例えば、プロジェクター１０がスクリーンＳＣを撮影する撮像部を備えている場合には、この撮像部によってスクリーンＳＣに投射された投射画像（或いは、台形歪み補正用の画像）を撮影し、撮影画像データから投射画像の外形形状を検出し、投影画像の歪みの状態を検出する。そして、台形歪み補正部１３６は、検出した台形歪みが所定以上の歪みとなっている場合に、自動的にキーストーン補正を実行する。台形歪み補正部１３６は、光変調装置駆動部１３２に出力する映像信号を処理して液晶パネル１３０に補正後の画像を描画させる。
なお、台形歪み補正部１３６は、例えばプロジェクター１０が撮像部を備えていない場合に、リモコン１９１または操作部１９５を介した操作に応じて、液晶パネル１３０に描画する画像を台形に歪ませることで、キーストーン補正を行ってもよい。
【００２１】
ＣＰＵ１２０は、ＲＯＭ１７０が記憶する制御プログラムを実行して、プロジェクター１０の各部を制御し、例えば、映像用プロセッサー１３４を制御して上述した画像処理を行う。また、ＣＰＵ１２０は、ファン制御部１２３と、移動検出部１２４とを備え、冷却用ファン３１の制御と、プロジェクター１０の移動の検出を行う。ファン制御部１２３、及び、移動検出部１２４は、ＣＰＵ１２０がＲＯＭ１７０に予め記憶した特定のプログラムを実行することにより実現される。
【００２２】
冷却用ファン３１は、ファンモーター１８１と、ファンモーター１８１の回転軸に取り付けられたファン１８２とを備え、ファンモーター１８１はファン駆動部１８０に接続されている。ファン駆動部１８０は、ファン制御部１２３の機能によりＣＰＵ１２０から入力される制御信号に基づいて、ファンモーター１８１に駆動電流を供給し、ファンモーター１８１の回転／停止を制御する。また、ファン駆動部１８０は、冷却用ファン３１の回転数を検出する回転数検出部１８３を備え、この回転数検出部１８３が検出した回転数（回転速度）はＣＰＵ１２０に出力される。
ファン制御部１２３は、温度センサー（図示略）からの入力に基づいて、画像投射部２１の冷却状態を検出し、冷却能力を高くする必要がある場合には冷却用ファン３１の回転数を上げ、冷却能力が十分である場合には、冷却用ファン３１の回転数を下げる制御を行う。ファン駆動部１８０は、ファン制御部１２３から入力される制御信号に基づいて、冷却用ファン３１の回転数を変化させる。冷却用ファン３１の回転数の変化は、ファンモーター１８１に印加する電圧、もしくは、ＰＷＭ（Pulse Width Modulation）のデューティー比を変化させることで実行される。この制御において、回転数検出部１８３で検出された冷却用ファン３１の回転数がＣＰＵ１２０にフィードバックされるので、ファン制御部１２３は、回転数検出部１８３からフィードバックされた冷却用ファン３１の回転数と画像投射部２１の冷却状態とからファンモーター１８１の負荷を制御する。
【００２３】
なお、ファン制御部１２３が冷却用ファン３１の制御に用いる温度センサーは、画像投射部２１の温度を検出するものであるが、より具体的には、光源１４１の温度を検出する温度センサーや、液晶パネル１３０またはその近傍の温度を検出する温度センサーである。これらのセンサーに加え、電源部２２の温度を検出する温度センサー、回路基板３３に実装された半導体デバイスの表面温度を検出する温度センサー等を配置し、これら各センサーの検出値がＣＰＵ１２０に入力される構成としてもよい。プロジェクター１０の構成部のうち、電源部２２、回路基板３３、光源１４１等は特に発熱量の大きい熱源となり得るため、これらの温度を検出可能な場所に温度センサーを配置すると効率的である。
この場合、ＣＰＵ１２０のファン制御部１２３は、複数の温度センサーの検出値に基づいて冷却用ファン３１の回転数を制御し、プロジェクター１０が複数の冷却用ファンを備えている場合は各冷却用ファンの回転数を個別に制御する。
【００２４】
プロジェクター１０は、移動検出部１２４により、冷却用ファン３１の回転数の変化に基づいてプロジェクター１０の移動を検出する機能を備える。
プロジェクター１０が移動し始めると、プロジェクター１０の内部にある冷却用ファン３１には慣性力が作用する。この慣性力には、地球の自転によるコリオリ力も含まれる。また、冷却用ファン３１には当然に重力も作用しているため、重力方向に対する冷却用ファン３１の向きを変えると、冷却用ファン３１に作用する重力の方向が変わる。このように冷却用ファン３１に対して作用する力の大きさやその方向が変化すると、冷却用ファン３１に作用する力が変動するので、冷却用ファン３１の回転数が変化する。つまり、プロジェクター１０が移動する場合や、地表面（或いは地軸）に対する冷却用ファン３１の向きが変わる場合に、冷却用ファン３１の回転数に変化が生じる。
【００２５】
移動検出部１２４は、回転数検出部１８３で検出された冷却用ファン３１の回転数を所定周期で検出し、検出した回転数をＲＡＭ１６０に一時記憶し、過去に検出した回転数と比較して統計的に処理することにより、回転数の変化を算出する。最も単純な例では、過去数回の検出分の回転数の平均値と最新の回転数との差を算出する方法がある。移動検出部１２４は、算出した冷却用ファン３１の回転数の変化が、予め設定された基準値、或いは、予め設定された方法により動的に算出した基準値を超えた場合に、プロジェクター１０の筐体１１が移動（変位、回転を含む）したことを検出する。
【００２６】
なお、上述したように、冷却用ファン３１の回転数は、ファン制御部１２３が温度センサー（図示略）の検出温度に基づいて調整することが可能である。移動検出部１２４は、冷却用ファン３１の回転数の変化を算出する際に、実際の冷却用ファン３１の回転数の変動から、ファン制御部１２３の制御による変動分を除く統計的処理を実行する。これにより、プロジェクター１０の移動をより正確に検出できる。
【００２７】
ＣＰＵ１２０は、移動検出部１２４の働きによりプロジェクター１０の移動を検出した場合に、様々な動作を実行できる。
例えば、プロジェクター１０が移動したことで、プロジェクター１０が移動する前にキーストーン補正が行われたスクリーンＳＣ上の画像について、キーストーン補正をやり直す必要が生じることがある。そこで、ＣＰＵ１２０は、移動検出部１２４の働きによりプロジェクター１０の移動を検出した場合、映像用プロセッサー１３４を制御して、Ａ／Ｄ変換部１１０から入力された画像のキーストーン補正を台形歪み補正部１３６に実行させる。リモコン１９１または操作部１９５を介した入力操作に基づいて手動でキーストーン補正を行う場合、ＣＰＵ１２０は、映像用プロセッサー１３４が有する台形歪み補正部１３６の機能により、キーストーン補正用の画像を液晶パネル１３０に描画させて、キーストーン補正を実行する動作モードに移行する。また、ＣＰＵ１２０は、移動検出部１２４の働きによりプロジェクター１０の移動を検出した場合に、フォーカス調整用モーター１５７を駆動してフォーカス調整を行ってもよい。フォーカス調整を行うためには、ズームレンズ１５２のズーム比が必要であるが、このズーム比は、例えばズーム調整用モーター１５６によるズームレンズ１５２の駆動量から算出すればよい。
【００２８】
さらに、移動検出部１２４は、冷却用ファン３１の回転数の変化が所定時間以上続いた場合に、その持続時間や、冷却用ファン３１の回転数の変化量の大きさ、変化量の変動等から、プロジェクター１０の筐体１１の移動量が大きいか小さいかを簡易的に判定できる。このため、ＣＰＵ１２０は、移動検出部１２４の機能によってプロジェクター１０の移動量が大きいと判定した場合に、プロジェクター１０の持ち去りを防止するため、内蔵する音声出力回路（図示略）により警報音を出力してもよい。この場合、ＣＰＵ１２０は、画像の投射ができないように動作をロックしてもよい。すなわち、ＣＰＵ１２０は、映像用プロセッサー１３４に対し、光変調装置駆動部１３２に映像信号を出力しないように制御する。さらに、持ち去りの可能性を指摘するとともに、ロックを解除するパスワードの入力を案内する専用画面を、スクリーンＳＣに表示させてもよい。この場合、冷却用ファン３１の回転数の変動に基づいて、加速度センサー等のセンサーを新たに設けた場合と同様に音声出力回路等の安全装置（図示略）を起動するので、盗難被害の抑制が期待できる。
【００２９】
ＲＡＭ１６０は、ＣＰＵ１２０が実行するプログラムやデータを一時的に格納するワークエリアを形成する。なお、映像用プロセッサー１３４は、自身が行う画像の表示状態の調整処理など、各処理の実行の際に必要となるワークエリアを、内蔵ＲＡＭとして備えている。
ＲＯＭ１７０は、上述した各処理部を実現するためにＣＰＵ１２０が実行する制御プログラムや、当該プログラムに係るデータ等を記憶する。
【００３０】
リモコン制御部１９０は、プロジェクター１０の外部のリモコン１９１から送信される無線信号を受信する。リモコン１９１は、ユーザーによって操作される操作子（図示略）を備え、操作子に対する操作に応じた操作信号を赤外線信号または所定周波数の電波を用いた無線信号として送信する。リモコン制御部１９０は、赤外線信号を受信する受光部（図示略）や無線信号を受信する受信回路（図示略）を備え、リモコン１９１から送信された信号を受信し、解析して、ユーザーによる操作の内容を示す信号を生成してＣＰＵ１２０に出力する。
操作部１９５は操作子（図示略）を備え、操作子に対する操作に応じた操作信号をＣＰＵ１２０に出力する。この操作子としては、電源ＯＮ／ＯＦＦを指示するスイッチ等がある。
【００３１】
次に、プロジェクター１０の動作について説明する。
図３は、プロジェクター１０の動作を示すフローチャートである。
この図３に示すように、プロジェクター１０の電源がオンされると（ステップＳ１）、ＣＰＵ１２０は、プロジェクター１０の各部の初期化を行う（ステップＳ２）。次に、ＣＰＵ１２０は、ファン制御部１２３の機能によって冷却用ファン３１の回転を開始するとともに、温度センサー（図示略）の検出値に基づく冷却用ファン３１の回転数の制御を開始する（ステップＳ３）。また、ＣＰＵ１２０は、回転数検出部１８３により検出される冷却用ファン３１の回転数の取得を開始し、取得した回転数をＲＡＭ１６０に順次記憶するとともに、この記憶した回転数の値に基づく移動検出を開始する（ステップＳ４）。
【００３２】
ＣＰＵ１２０は、冷却用ファン３１の回転数の変動に基づきプロジェクター１０の移動を検出したか否かを判別し（ステップＳ５）、プロジェクター１０の移動が検出されない間は（ステップＳ５：Ｎｏ）、動作を継続し、プロジェクター１０の移動が検出された場合は（ステップＳ５：Ｙｅｓ）、プロジェクター１０が停止したかを判断する（ステップＳ６）。ＣＰＵ１２０は、プロジェクター１０の移動が続いている間は待機し（ステップＳ６；Ｎｏ）、プロジェクター１０の移動による回転数の変動が収束する等の現象によりプロジェクター１０が停止したことを検出すると（ステップＳ６：Ｙｅｓ）、映像用プロセッサー１３４を制御して、台形歪み補正部１３６がキーストーン処理を開始可能な状態に移行する（ステップＳ７）。
【００３３】
なお、プロジェクター１０の移動をより鋭敏に検出するため、プロジェクター１０の内部には、図４に示したように、重力方向に対して異なる設置角度を持つ複数の冷却用ファン３１ａ、３１ｂ、３１ｃを配置する構成とすることもできる。この場合、複数の冷却用ファン３１ａ、３１ｂ、３１ｃの中で慣性モーメントが最も大きい冷却用ファンの回転数の変動に基づいてプロジェクター１０の移動を検出する構成としてもよい。或いは、複数の冷却用ファン３１ａ、３１ｂ、３１ｃのうち、サーボ機構によらず、定速で回転している冷却用ファンがある場合には、この定速で回転している冷却用ファンの回転数の変動に基づいてプロジェクター１０の移動を検出する構成としても良い。また、複数の冷却用ファン３１ａ、３１ｂ、３１ｃの設置角度と、各冷却用ファン３１ａ、３１ｂ、３１ｃの回転数の変動とからプロジェクター１０の移動を検出する構成であっても良い。このような構成によれば、プロジェクター１０の移動によるコリオリ力や重力の作用の変化が生じた場合に、この変化によって、冷却用ファン３１ａ、３１ｂ、３１ｃのいずれかの回転数が特に大きく変動することが考えられる。また、ファン制御部１２３が、温度センサー（図示略）の検出温度に基づいて各冷却用ファン３１ａ、３１ｂ、３１ｃの回転数を調整する場合には、全ての冷却用ファン３１ａ、３１ｂ、３１ｃの回転数を一様に調整することは多くない。このため、プロジェクター１０の移動検出に適した冷却用ファンを選択して、選択したファンの回転数をもとにプロジェクター１０の移動を検出することもできる。従って、一つの冷却用ファン３１の回転数を監視する場合に比べて、より鋭敏に、かつ正確に、プロジェクター１０の移動を検出できる。
【００３４】
以上説明したように、本発明を適用した実施形態によれば、プロジェクター１０が、冷却用ファン３１の回転数を検出する回転数検出部１８３と、回転数検出部１８３で検出された冷却用ファン３１の回転数の変化に基づいてプロジェクター１０の移動を検出する移動検出部１２４とを備えたため、プロジェクター１０の筐体１１が備える冷却用ファン３１の回転数の変化に基づいて、部品点数を増やすことなく、プロジェクター１０の移動を検出できる。この構成では、プロジェクター１０の移動を検出するための加速度センサー、或いは、振動センサー等のハードウェアーを設ける必要がないため、システムの簡略化、及び、コストダウンへの貢献が期待できる。
【００３５】
また、プロジェクター１０のＣＰＵ１２０は、冷却用ファン３１の回転数を、光源１４１や電源部２２、回路基板３３等の冷却用ファン３１が冷却する対象物、または、冷却用ファン３１の冷却対象空間である筐体１１の内部空間等の冷却対象の冷却状態に応じて変化させるファン制御部１２３を備え、移動検出部１２４は、回転数検出部１８３で検出された冷却用ファン３１の回転数の変化、及び、ファン制御部１２３による冷却用ファン３１の回転数の変化に基づいてプロジェクター１０の移動を検出する。つまり、冷却用ファン３１の回転数の変化分から、ファン制御部１２３の制御に基づく冷却用ファン３１の回転数の変動を除外し、或いは相殺して、プロジェクター１０の移動を検出する。このため、効率的な冷却あるいは確実な冷却を行うために冷却用ファン３１の回転数を変化させた場合であっても、冷却用ファン３１の回転数に基づいて、正確にプロジェクター１０の移動を検出できる。
【００３６】
また、光源１４１を備えた照明光学系１４０と、光源１４１を冷却する冷却用ファン３１を有するプロジェクター１０に本発明を適用することにより、プロジェクター１０で光源１４１を冷却するために必要な冷却用ファン３１を用いて、部品点数を増やすことなくプロジェクター１０の移動を検出することができる。また、プロジェクター１０は、キーストーン補正を実行するため、或いは、盗難防止のための安全装置を起動するために、プロジェクター１０の移動を検出する必要があるが、冷却用ファン３１の回転数の変動からプロジェクター１０の移動検出が可能となり、移動を検出するため加速度センサー、或いは、振動センサーを用いてプロジェクター１０の移動を検出するのに比べてシステムの簡略化を図ることができる。
【００３７】
また、移動検出部１２４がプロジェクター１０の移動を検出した場合に、台形歪み補正部１３６により台形歪み補正を行うので、プロジェクター１０が最初の補正を行った後にプロジェクター１０が移動し、投射環境が変化した場合に、この投射環境の変化に速やかに対応して、良好な状態で画像を投射できる。
【００３８】
また、移動検出部１２４は、冷却用ファン３１の回転数の変化に基づいて、プロジェクター１０の移動の開始または終了を検出し、台形歪み補正部１３６は、プロジェクター１０の移動が開始された場合または移動が終了した場合に台形歪み補正を行う。これにより、プロジェクター１０の筐体１１が備える冷却用ファン３１の回転数の変化に基づいて、部品点数を増やすことなく、プロジェクター１０の移動の開始または移動の終了を検出して、台形歪み補正を行うことができる。従って、プロジェクター１０の本体の移動に伴う投射状態の変化に速やかに対応して、台形歪み補正を行える。また、プロジェクター１０の移動を検出するための加速度センサー、或いは、振動センサー等のハードウェアーを設ける必要がなく、システムの簡略化、及び、コストダウンへの貢献が期待できる。
【００３９】
以上、実施形態に基づいて本発明を説明したが、本発明はこれに限定されるものではない。本実施形態では、冷却用ファン３１は、プロジェクター１０に設けられた冷却用ファンである構成としたがこれに限らず、例えばノート型パーソナルコンピューター等に設けられた冷却用ファンであっても良く、この冷却用ファンの回転数の変動に基づいてノート型パーソナルコンピューターの移動を検出し盗難防止等の安全性向上のために用いる構成としてもよい。
【００４０】
なお、上述した実施形態は本発明を限定するものではなく、上記実施形態とは異なる態様として本発明を適用することも可能である。例えば、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。なお、液晶テレビなどの直視型の表示装置においては、画像を表示する画面が表示領域に相当する。
【００４１】
また、プロジェクター１０は、一つの冷却用ファン３１により筐体１１内の各部を冷却する構成としたが、上述のように複数の冷却用ファン３１を設けてもよく、サイズの異なる複数の冷却用ファンを用いることも可能である。さらに、冷却用ファン３１は、冷却対象物または冷却対象空間に接して配置されるとは限らず、例えば、冷却水等の熱媒体を流通させることにより筐体１１内の各部を冷却する流体冷却回路を筐体１１内に配置し、この流体冷却回路が放熱する放熱部に冷却用ファンを設け、この冷却用ファンの回転数の変化に基づいて、プロジェクター１０の移動を検出する構成としてもよい。さらに、ＣＰＵ１２０が備えるファン制御部１２３と、移動検出部１２４とを、ＣＰＵ１２０とは別体として設けてもよい。
また、上記実施形態においてＲＯＭ１７０が記憶していた制御プログラムを、プロジェクター１０が通信ネットワークを介して接続された他の装置からダウンロードして実行しても良いし、可搬型の記録媒体に制御プログラムを記録して、この記録媒体から上記各プログラムを読み取って実行する構成としても良い。
【００４２】
また、図２に示したプロジェクター１０の各機能部は機能的構成を示すものであって、具体的な実装形態は特に制限されない。つまり、必ずしも各機能部に個別に対応するハードウェアーが実装される必要はなく、一つのプロセッサーがプログラムを実行することで複数の機能部の機能を実現する構成とすることも勿論可能である。また、上記実施形態においてソフトウェアで実現されている機能の一部をハードウェアーで実現してもよく、あるいは、ハードウェアーで実現されている機能の一部をソフトウェアで実現してもよい。その他、プロジェクター１０の具体的な細部構成について、本発明の趣旨を逸脱しない範囲で任意に変更可能である。
【符号の説明】
【００４３】
１０…プロジェクター（表示装置）、１１…筐体（本体）、１５…吸気口、１６…排気口、２１…画像投射部、２２…電源部、３１…冷却用ファン、３３…回路基板、１０２…バス、１１０…Ｄ変換部、１２０…ＣＰＵ、１２３…ファン制御部（ファン制御手段）、１２４…移動検出部（移動検出手段）、１３０…液晶パネル、１３４…映像用プロセッサー、１３６…台形歪み補正部（補正手段）、１４０…照明光学系、１４１…光源、１５０…投射光学系、１６０…ＲＡＭ、１７０…ＲＯＭ、１８０…ファン駆動部、１８１…ファンモーター、１８２…ファン、１８３…回転数検出部（回転数検出手段）、ＳＣ…スクリーン。
【図１】
2012189675.tif 000003
【図２】
2012189675.tif 000004
【図３】
2012189675.tif 000005
【図４】
2012189675.tif 000006